【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
出入口等の前後方向に出入り可能な躯体開口部の左右に取付けられた左右軸受プレートに、シャッターカーテンが巻装される巻取りドラムを回転自在に支持し、該巻取りドラムが正逆回転することに伴いシャッターカーテンをガイドレールに昇降案内させて開口部の開閉をするようにした建築用重量シャッター装置において、
前記シャッターカーテンの躯体開口部での繰り出し部位にマグサを設けるにあたり、
該マグサは、各別に設けられる上下方向位置調節手段と前後方向位置調節手段とを介して取付けられることで、マグサの上下方向と前後方向の位置調節が各別にできるものであり、
これら上下方向位置調節手段と前後方向位置調節手段とは、前記シャッターカーテンの巻装領域よりも下方に配されていることを特徴とする建築用重量シャッター装置におけるマグサ。
【請求項２】
前記上下方向位置調整手段は、前後方向横向きに向けて螺入する横向き螺子により上下方向位置調節自在に構成され、前記前後方向位置調節手段は、下方から上方に向けて螺入する上向き螺子により前後方向位置調節自在に構成されていることを特徴とする請求項１記載の建築用重量シャッター装置におけるマグサ。
【請求項３】
マグサは外マグサと内マグサとであり、該外マグサと内マグサとに上下方向位置調節手段と前後方向位置調節手段とが各別に設けられ、これら各別に設けられる上下方向位置調節手段と前後方向位置調節手段とは、マグサ部位におけるシャッターカーテンのシャッター芯を挟んで前後両側にそれぞれ配されていることを特徴とする請求項１または２記載の建築用重量シャッター装置におけるマグサ。
【請求項４】
マグサは外マグサであり、該外マグサは、前記シャッター芯側から前後方向外方に向けて螺入する横向き螺子により上下方向位置調節自在に構成され、下方から上方に向けて螺入する上向き螺子により前後方向位置調節自在に構成されていることを特徴とする請求項３記載の建築用重量シャッター装置におけるマグサ。
【請求項５】
前記外マグサは、躯体側に支持される横桟に横向き螺子を介して上下方向位置調節自在に取付けられた取付け金具に対して、上向き螺子を介して前後方向位置調節自在に取付けられていることを特徴とする請求項４記載の建築用重量シャッター装置におけるマグサ。
【請求項６】
マグサは内マグサであり、該内マグサは、前後方向外側からシャッター芯側に向けて螺入する横向き螺子により上下方向位置調節自在に構成され、下方から上方に向けて螺入する上向き螺子により前後方向位置調節自在に構成されていることを特徴とする請求項３記載の建築用重量シャッター装置におけるマグサ。
【請求項７】
前記内マグサは、前記軸受プレートに支持されるマグサ受け材に横向き螺子を介して上下方向位置調節自在に取付けられたマグサ上材に対して、上向き螺子を介して前後方向位置調節自在に取付けられていることを特徴とする請求項６記載の建築用重量シャッター装置におけるマグサ。
【手続補正２】
【補正対象書類名】明細書
【補正対象項目名】０００５
【補正方法】変更
【補正の内容】
【０００５】
本発明は、上記の如き実情に鑑みこれらの課題を解決することを目的として創作されたものであって、請求項１の発明は、出入口等の前後方向に出入り可能な躯体開口部の左右に取付けられた左右軸受プレートに、シャッターカーテンが巻装される巻取りドラムを回転自在に支持し、該巻取りドラムが正逆回転することに伴いシャッターカーテンをガイドレールに昇降案内させて開口部の開閉をするようにした建築用重量シャッター装置において、前記シャッターカーテンの躯体開口部での繰り出し部位にマグサを設けるにあたり、該マグサは、各別に設けられる上下方向位置調節手段と前後方向位置調節手段とを介して取付けられることで、マグサの上下方向と前後方向の位置調節が各別にできるものであり、これら上下方向位置調節手段と前後方向位置調節手段とは、前記シャッターカーテンの巻装領域よりも下方に配されていることを特徴とする建築用重量シャッター装置におけるマグサである。
請求項２の発明は、前記上下方向位置調整手段は、前後方向横向きに向けて螺入する横向き螺子により上下方向位置調節自在に構成され、前記前後方向位置調節手段は、下方から上方に向けて螺入する上向き螺子により前後方向位置調節自在に構成されていることを特徴とする請求項１記載の建築用重量シャッター装置におけるマグサである。
請求項３の発明は、マグサは外マグサと内マグサとであり、該外マグサと内マグサとに上下方向位置調節手段と前後方向位置調節手段とが各別に設けられ、これら各別に設けられる上下方向位置調節手段と前後方向位置調節手段とは、マグサ部位におけるシャッターカーテンのシャッター芯を挟んで前後両側にそれぞれ配されていることを特徴とする請求項１または２記載の建築用重量シャッター装置におけるマグサである。
請求項４の発明は、マグサは外マグサであり、該外マグサは、前記シャッター芯側から前後方向外方に向けて螺入する横向き螺子により上下方向位置調節自在に構成され、下方から上方に向けて螺入する上向き螺子により前後方向位置調節自在に構成されていることを特徴とする請求項３記載の建築用重量シャッター装置におけるマグサである。
請求項５の発明は、前記外マグサは、躯体側に支持される横桟に横向き螺子を介して上下方向位置調節自在に取付けられた取付け金具に対して、上向き螺子を介して前後方向位置調節自在に取付けられていることを特徴とする請求項４記載の建築用重量シャッター装置におけるマグサ。
請求項６の発明は、マグサは内マグサであり、該内マグサは、前後方向外側からシャッター芯側に向けて螺入する横向き螺子により上下方向位置調節自在に構成され、下方から上方に向けて螺入する上向き螺子により前後方向位置調節自在に構成されていることを特徴とする請求項３記載の建築用重量シャッター装置におけるマグサ。
請求項７の発明は、前記内マグサは、前記軸受プレートに支持されるマグサ受け材に横向き螺子を介して上下方向位置調節自在に取付けられたマグサ上材に対して、上向き螺子を介して前後方向位置調節自在に取付けられていることを特徴とする請求項６記載の建築用重量シャッター装置におけるマグサ。
【手続補正３】
【補正対象書類名】明細書
【補正対象項目名】０００６
【補正方法】変更
【補正の内容】
【０００６】
前記発明とすることにより、マグサは、マグサ支持部材に対して上下方向位置調節自在に螺子固定される取付け金具に、前後方向位置調節自在に螺子固定されることになって、溶接での取付け固定が不要となり、しかもマグサの上下方向の位置調整、前後方向の位置調整が個別にできるため、取付け精度も向上することになる。
【手続補正４】
【補正対象書類名】明細書
【補正対象項目名】０００８
【補正方法】変更
【補正の内容】
【０００８】
以下、本発明の実施の形態について、図面に基づいて説明する。図面において、１は建築物の出入り口等の開口部に建て付けられる建築用の重量シャッター装置であって、該重量シャッター装置１は、開口部の天井板２の上側（天井裏）に設けられる左右ブラケット３、４、該左右ブラケット３、４に回転自在に設けられる巻取りドラム５、該巻取りドラム５に巻装されるシャッターカーテン６、巻取りドラム５を正逆回転させてシャッターカーテン６の開閉作動をする開閉機７、開閉作動をするシャッターカーテン６の開閉ガイドをするべく開口部の左右に設けられるガイドレール８等の各種の部材装置を用いて構成されていること等は何れも従来通りである（図１参照）。なお、図１から明らかなように、左右ブラケット３、４、ガイドレール８は開口部に対して左右に設けらており、これに対し、開口部に出入りする方向を前後方向とする。
【手続補正５】
【補正対象書類名】明細書
【補正対象項目名】００１８
【補正方法】変更
【補正の内容】
【００１８】
次に、外（屋外側）マグサ１９を取付けることになるが、該外マグサ１９は、上端部が前後方向内方が開口したコ字形のクロス支持部１９ａが形成され、該クロス支持部１９ａに上側から螺入する螺子１９ｂにより支持板１９ｃをクロス支持部１９ａの下片に押圧することで、まぐさ用クロス（ガラスクロス）１９ｄを挟持するようになっている。外マグサ１９の上下方向中間部には前後方向外方に向けて延出した支持片１９ｅが設けられており、該支持片１９ｅを、Ｌ字形をした外マグサ取付け金具１９ｆの下片１９ｇに当てがい、前後方向の位置調節をした状態（シャッター芯Ｘから外マグサ屋内側面１９ｏまでの寸法取りができる状態）でドリル螺子１９ｈ（図１６から明らかなように、下方から上方に向けて上向きに螺入する上向き螺子）により固定されている。このようにして、本発明の前後方向位置調節手段が構成されている。外マグサ取付け金具１９ｆの上半部１９ｉは、下側横桟脚片１２ｇに当接し、ドリル螺子１９ｊによって下側横桟１２に固定されるようになっているが、上半部１９ｉに形成される複数ネジ孔のうち、少なくとも一つの丸孔のネジ孔１９ｋを除いて上下方向に長いネジ孔１９ｌとなっている。そして外マグサ１９を下側横桟１２に外マグサ取付け金具１９ｆを介して固定する場合に、前記長いネジ孔１９ｌを用いて外マグサ１９の上下方向の位置調節をしながらドリル螺子１９ｊ（図１６から明らかなように、シャッター芯Ｘ側から前後方向外側に向けて横向きに螺入する横向き螺子）で固定し、最後に丸孔のネジ孔１９ｋにドリル螺子１９ｊで螺子固定することで外マグサ１９の上下方向の位置ズレ発生しないように配慮されている。このようにして、本発明の上下方向位置調節手段が構成されている。
さらに外マグサ１９は、補強金具１９ｍにより補強されている。補強金具１９ｍは、下側横桟跨部１２ｅと外マグサ取付け金具１９ｆの下半部にドリル螺子１９ｎを介して固定されることで外マグサ１９を補強している。
尚、外マグサ１９の屋内側面１９ｏは、後述するマグサ下材２３の下片２３ｅと対向してマグサ空間Ｍを形成するようになっている。また外マグサ屋内側面１９ｏの下端から屋外側に折曲して外マグサ底片１９ｐが形成され、該外マグサ底片１９ｐの屋外側端から上方に向けて屋外側片１９ｑが形成されるが、該屋外側片１９ｑの上端に乗り上がる状態で天井板２が支持されるようになっている（図４、１６〜１９参照）。
【手続補正６】
【補正対象書類名】明細書
【補正対象項目名】００２１
【補正方法】変更
【補正の内容】
【００２１】
またマグサ上材２２は、Ｌ形状を上材本体２２ａと、上材本体２２ａの上片２２ｂ、下片２２ｃ間に亘るように固着された補強片２２ｄとにより構成されるが、補強片２２ｄは上片２２ｂよりも上方に延設され、その上端部にマグサ受け材補強ピース材２１ｇと補強固定するための補強ピース片２２ｅが設けられている。
そしてマグサ上材２２は、上片２２ｂを角筒材屋外側面２１ｂおよびマグサ取付け材２１ｉに屋外側から当接させた状態でドリル螺子２２ｆ（図２１から明らかなように、前後方向外側からシャッター芯Ｘ側に向けて横向きに螺入する横向き螺子）を用いてマグサ取付け材２１ｉに固定されることになるが、この場合に、マグサ取付け材２１ｉには、ドリル螺子２２ｆ用のビス孔が複数形成されるが、そのうちの一つが丸孔のビス孔２１ｋ、残りが上下方向に長い長孔のビス孔２１ｌとなっている。そして長孔のビス孔２１ｌでマグサ上材２２の上下方向位置調節をしてドリル螺子２２ｆによる固定をした後、丸孔のビス孔２１ｋをドリル螺子２２ｆにより固定することでマグサ上材２２の上下方向の位置ずれを規制するようになっている。このようにして、本発明の上下方向位置調節手段が構成されている。
このようにマグサ上材２２のマグサ受け部材２１への固定をした後、さらに補強用ピース材２１ｇと補強ピース片２２ｅとをドリル螺子２２ｇで固定するようになっている（図４、図２１、２６参照）。
【手続補正７】
【補正対象書類名】明細書
【補正対象項目名】００２２
【補正方法】変更
【補正の内容】
【００２２】
さらに前記マグサ下材２３は逆Ｌ字形をしているが、該マグサ下材２３の上片２３ａがマグサ上材下片２２ｃに下側から当接され、ドリル螺子２３ｂ（図２１から明らかなように、ドリル螺子２３ｂは、下方から上方に向けて上向きに螺入する上向き螺子）を用いて固定されることになるが、上片２３に穿設される複数のビス孔のうち、一つが丸孔のビス孔２３ｃで、残りが前後方向に長い長孔のビス孔２３ｄとなっている。そしてマグサ下材２３をマグサ上材２２に取付ける場合に、長孔のビス孔２３ｄでマグサ下材２３の前後方向の位置調節をした状態（シャッター芯Ｘからマグサ下材下片２３ｅまでの寸法取りができる状態）にしてドリル螺子２３ｂによる固定をした後、丸孔のネジ孔２３ｃをドリル螺子２３ｂにより固定することでマグサ下材２３の前後方向の位置ズレを規制するようになっている。このようにして、本発明の前後方向位置調節手段が構成されている。そして、このようにすることにより、前述したように、マグサ下材２３の下片２３ｅが、外マグサ１９の屋内側面１９ｏと対向し、マグサ空間Ｍを形成するようになっている（図４、２１、２５参照）。
尚、この下片２３ｅの下端からは屋内側に向けて底片２３ｆが形成され、該底片２３ｆの屋内側端から上方に向けて屋内側片２３ｇが形成されるが、該屋内側片２３ｇに天井板２が乗り上がるように設けられていて天井板２の支持ができるようになっている。
また、図４、図１６、図２０、図２１から明らかなように、シャッターカーテン６は、巻取りドラム５の外側に巻装されているが、外内マグサ１９、２０は、前記シャッターカーテン６が巻装される領域の下方に配されていると共に、上下方向位置調節手段、前後方向位置調節手段は何れも、前記シャッターカーテンの巻装領域よりも下方に配された状態になっている。